(57)【要約】【課  題】高度なセキュリティ上の確認ができスペース的に有利な彫刻画像を簡単で安価に得ることを可能にする証明用層状媒体、製造方法、及び装置を提供する。【解決手段】透明又は半透明の支持体層３にカラー写真画像層５及び彫刻画像層７を備えた証明用層状媒体１において、カラー写真画像層５は、支持体層３の一面側に形成されてカラー写真画像１３を含み、彫刻画像層７は、支持体層３よりも低い透明度又は不透明で支持体層３の他面側に形成されてカラー写真画像１３の反転画像に相当する彫刻画像１９を含み、彫刻層７側から透かして見ることによりカラー写真画像１３及び彫刻画像１９の確認を可能としたことを特徴とする。【選択図】図１
2018030351.tif 000002
【特許請求の範囲】
【請求項１】
透明又は半透明の支持体層にカラー写真画像層及び彫刻画像層を備えた証明用層状媒体において、
前記カラー写真画像層は、前記支持体層の一面側に備えられてカラー写真画像を含み、
前記彫刻画像層は、前記支持体層よりも低い透明度又は不透明で前記支持体層の他面側に備えられて前記カラー写真画像の反転画像に相当する彫刻画像を含み、
前記彫刻画像層側から透かして見ることにより前記カラー写真画像及び前記彫刻画像の確認を可能とした、
ことを特徴とする証明用層状媒体。
【請求項２】
透明又は半透明の支持体層にカラー写真画像層及び彫刻画像層を備えた証明用層状媒体であって、
前記カラー写真画像層は、前記支持体層の一面側に備えられカラー写真画像に倣った彫刻による残存画像を含み、
前記彫刻画像層は、前記支持体層よりも低い透明度又は不透明で前記支持体層と前記残存画像との間に前記彫刻により備えられた彫刻画像を含み、
前記支持体層の一面側又は他面側から透かして見ることにより前記残存画像及び前記彫刻画像の確認を可能とした、
ことを特徴とする証明用層状媒体。
【請求項３】
支持体層の一面側にカラー写真画像を備えたカラー写真画像層を形成し、
前記支持体層の他面側に備えた彫刻層に前記カラー写真画像に倣って彫刻画像を反転彫刻した彫刻画像層を形成した、
ことを特徴とする証明用層状媒体の製造方法。
【請求項４】
支持体層の一面側に備えた彫刻層の表面にカラー写真画像を備えたカラー写真画像層を形成し、
前記カラー写真画像の上からカラー写真画像に倣って前記彫刻層に彫刻画像を彫刻して彫刻画像層を形成し、
前記支持体層の一面側に前記彫刻後に残存する前記カラー写真画像の残存画像を形成した、
ことを特徴とする証明用層状媒体の製造方法。
【請求項５】
透明又は半透明の支持体層にカラー写真画像層及び彫刻画像層を備えた証明用層状媒体の製造に用いるカード基材であって、
前記支持体層は、ベースシート及びベースシートを挟むオーバーシートの積層構造であり、
前記ベースシート及びオーバーシートの間には、印刷画像層と印刷画像層の無い領域とが配され、
前記カラー写真画像層は、前記支持体層の一面側の前記領域に対向する位置で前記オーバーシートの表面に備えられ、
前記彫刻画像層を形成するために未彫刻の彫刻層が、前記支持体層の他面側の前記領域に対向する位置で前記オーバーシートの表面に備えられた、
ことを特徴とするカード基材。
【請求項６】
透明又は半透明の支持体層にカラー写真画像層及び彫刻画像層を備えた証明用層状媒体の製造に用いるカード基材であって、
前記支持体層は、ベースシート及びベースシートを挟むオーバーシートの積層構造であり、
前記ベースシート及びオーバーシートの間には、印刷画像層と印刷画像層の無い領域とが配され、
前記彫刻画像層を形成するために未彫刻の彫刻層が、前記領域に対向する位置で前記オーバーシートの表面に備えられ、
前記カラー写真画像層は、前記領域に対向する位置で前記未彫刻の彫刻層の表面に備えられた、
ことを特徴とするカード基材。
【請求項７】
透明又は半透明の支持体層にカラー写真画像層及び彫刻画像層を備えた証明用層状媒体の製造に用いるカード基材であって、
前記支持体層は、ベースシート及びベースシートを挟むオーバーシートの積層構造であり、
前記カラー写真画像層は、前記支持体層の一面側で他の画像層と一体的に前記オーバーシートの表面に備えられ、
前記彫刻画像層を形成するために未彫刻の彫刻層が、前記支持体層の他面側で前記オーバーシートの表面に備えられた、
ことを特徴とするカード基材。
【請求項８】
透明又は半透明の支持体層にカラー写真画像層及び彫刻画像層を備えた証明用層状媒体の製造に用いるカード基材であって、
前記支持体層は、ベースシート及びベースシートを挟むオーバーシートの積層構造であり、
前記彫刻画像層を形成するために未彫刻の彫刻層が、前記オーバーシートの表面に備えられ、
前記カラー写真画像層は、他の画像層と一体的に前記未彫刻の彫刻層の表面に備えられた、
ことを特徴とするカード基材。
【請求項９】
透明又は半透明の支持体層にカラー写真画像層及び彫刻画像層を備えた証明用層状媒体の製造に用いる合成紙であって、
前記支持体層は、ベースシートとベースシートを挟む未彫刻の彫刻層及びマットコート層の積層構造であり、
前記カラー写真画像層は、前記マットコート層の表面に備えられ、
ことを特徴とする合成紙。
【請求項１０】
透明又は半透明の支持体層にカラー写真画像層及び彫刻画像層を備えた証明用層状媒体の製造に用いる合成紙であって、
前記支持体層は、ベースシートとベースシートを挟む未彫刻の彫刻層及びマットコート層の積層構造であり、
前記カラー写真画像層は、前記未彫刻の彫刻層の表面に備えられた、
ことを特徴とする合成紙。
【発明の詳細な説明】
【技術分野】
【０００１】
本発明は、カラー顔写真等の画像を有するカード等の証明用層状媒体、製造方法、カード基材、及び合成紙に関する。
【背景技術】
【０００２】
従来、カラー写真をプリントした証明カード類は、特許文献１に開示されている。例えば、転写シートから基体に染料を転写させてカラー顔写真をプリントし、さらに軟質塩化ビニールで表面をカバーするものである。
【０００３】
このようなカラープリントによる証明カードは、彫刻による証明カードに比べて、変造を容易に行うことができる。
【０００４】
これに対し、特許文献２に開示された証明用カード１がある。この証明用カード１は、彫刻層のシート面に、彫刻に係る識別画像と、当該識別画像と同一内容の非彫刻に係る可視画像とを直接対比観察が可能となるように設けている。この証明用カード１では、彫刻に係る識別画像と非彫刻に係る可視画像との対比観察及び所持人との対面観察を通じて高度なセキュリティ上の本人確認ができる。
【０００５】
しかし、彫刻に係る識別画像と非彫刻に係る可視画像とを併設するため、スペース的に不利になり、証明用カード１上の他の情報が制約を受けるという問題があった。
【０００６】
これに対し、特許文献３には、カラー写真画像の彫刻方法が開示されている。この方法では、カード基体に複数の色成分（Ｃ，Ｍ，Ｙ，Ｗ又はＢ）をドット状又はライン状に形成したカードに対し、制御回路にて読み取られたカラー写真画像データに基づいて色成分毎にカッター駆動信号を出力し、この駆動信号によりカッターを駆動制御するようにしたものである。
【０００７】
カッターの駆動制御により、カードに複数の色成分から成る絵素の集合を形成し、絵素の集合によってカード上にカラー彫刻画像を表すことができる。
【０００８】
このようなカラー彫刻画像により、彫刻画像とカラー写真画像とを備えるのと同等となり、スペース的に有利となる。
【０００９】
しかしながら、カラー写真画像の彫刻を行うにはその装置のみならず、彫刻媒体自体も製造が難しく、彫刻時間も長くなり、カード等の既彫刻の媒体が高価になるという問題があった。
【００１０】
なお、この種の問題は、カード等の媒体に限らず、合成紙による卒業証書等の媒体についても同様に起こり得る。
【先行技術文献】
【特許文献】
【００１１】
【特許文献１】特開平５−７７４５９号公報
【特許文献２】特開２００９−１３２０１５号公報
【特許文献３】特開平６−１５９９０号公報
【発明の概要】
【発明が解決しようとする課題】
【００１２】
解決しようとする問題点は、スペース的に有利なカラー写真画像の彫刻を行うにはその装置のみならず、彫刻媒体自体も製造が難しく、彫刻時間も長くなり、カード等の既彫刻の媒体が高価になる点である。
【課題を解決するための手段】
【００１３】
本発明は、高度なセキュリティ上の確認ができスペース的に有利な彫刻画像を簡単で安価に得ることを可能とするため、本発明の証明用層状媒体は、透明又は半透明の支持体層にカラー写真画像層及び彫刻画像層を備えた証明用層状媒体において、前記カラー写真画像層は、前記支持体層の一面側に備えられてカラー写真画像を含み、前記彫刻画像層は、前記支持体層よりも低い透明度又は不透明で前記支持体層の他面側に備えられて前記カラー写真画像の反転画像に相当する彫刻画像を含み、前記彫刻画像層側から透かして見ることにより前記カラー写真画像及び前記彫刻画像の確認を可能としたことを特徴とする。
【００１４】
本発明の証明用層状媒体の製造方法は、支持体層の一面側にカラー写真画像を備えたカラー写真画像層を形成し、前記支持体層の他面側に備えた彫刻層に前記カラー写真画像に倣って彫刻画像を反転彫刻した彫刻画像層を形成したことを特徴とする。
【００１５】
本発明のカード基材は、透明又は半透明の支持体層にカラー写真画像層及び彫刻画像層を備えた証明用層状媒体の製造に用いるカード基材であって、前記支持体層は、ベースシート及びベースシートを挟むオーバーシートの積層構造であり、前記ベースシート及びオーバーシートの間には、印刷画像層と印刷画像層の無い領域とが配され、前記カラー写真画像層は、前記支持体層の一面側の前記領域に対向する位置で前記オーバーシートの表面に備えられ、前記彫刻画像層を形成するために未彫刻の彫刻層が、前記支持体層の他面側の前記領域に対向する位置で前記オーバーシートの表面に備えられたことを特徴とする。
【００１６】
本発明のカード基材は、透明又は半透明の支持体層にカラー写真画像層及び彫刻画像層を備えた証明用層状媒体の製造に用いるカード基材であって、前記支持体層は、ベースシート及びベースシートを挟むオーバーシートの積層構造であり、前記カラー写真画像層は、前記支持体層の一面側で他の画像層と一体的に前記オーバーシートの表面に備えられ、前記彫刻画像層を形成するために未彫刻の彫刻層が、前記支持体層の他面側で前記オーバーシートの表面に備えられたことを特徴とする。
【００１７】
本発明の合成紙は、透明又は半透明の支持体層にカラー写真画像層及び彫刻画像層を備えた証明用層状媒体の製造に用いる合成紙であって、前記支持体層は、ベースシートとベースシートを挟む未彫刻の彫刻層及びマットコート層の積層構造であり、前記カラー写真画像層は、前記マットコート層の表面に備えられたことを特徴とする。
【発明の効果】
【００１８】
本発明の証明用層状媒体は、上記構成であるから、支持体層の他面側から彫刻画像を見るとカラー写真画像が重なって彫刻画像を擬似のカラー彫刻画像にすることができる。従って、プリントによるカラー写真画像と擬似のカラー彫刻画像との重なりを直接見ることにより、真偽の判別ができる。また、彫刻層側から透かして見ることによりカラー写真画像を透過した光が彫刻画像を透過するため、カラー写真画像と彫刻画像との重なり及び彫刻画像の確認をすることで真偽の判別ができる。かかる判別の結果、高度なセキュリティ上の確認ができる。
【００１９】
本発明の証明用層状媒体の製造方法は、上記構成であるから、上記証明用層状媒体を製造することができる。
【００２０】
本発明のカード基材は、上記構成であるから、上記製造方法を用いて上記証明用層状媒体を製造することができる。
【００２１】
本発明の合成紙は、上記構成であるから、上記製造方法を用いて上記証明用層状媒体を製造することができる。
【図面の簡単な説明】
【００２２】
【図１】証明用カードの断面図である。（実施例１）
【図２】証明用カードの平面図である。（実施例１）
【図３】彫刻画像の要部拡大断面図である。（実施例１）
【図４】証明用カードの製造方法に係り、（Ａ）は、カラー写真画像のプリント前の基材の断面図、（Ｂ）は、カラー写真画像を備えた彫刻前のカード基材の断面図である。（実施例１）
【図５】証明用カードの製造装置を示すブロック図である。（実施例１）
【図６】彫刻針の一例であり、（Ａ）は、概略要部側面図、（Ｂ）は、概略要部正面図である。（実施例１）
【図７】証明用カードの断面図である。（実施例２）
【図８】彫刻画像の要部拡大断面図である。（実施例２）
【図９】基材の断面図である。（実施例３）
【図１０】オーバーシートの表面にカラー写真画像層を備えたカード基材の断面図である。（実施例３）
【図１１】彫刻層の表面にカラー写真画像層を備えたカード基材の断面図である。（実施例３）
【図１２】合成紙基材の断面図である。（実施例４）
【図１３】卒業証書の断面図である。（実施例４）
【図１４】卒業証書の断面図である。（実施例４）
【発明を実施するための形態】
【００２３】
高度なセキュリティ上の確認ができスペース的に有利な彫刻画像を簡単で安価に得ることを可能にするという目的を、本発明の証明用層状媒体は、透明又は半透明の支持体層にカラー写真画像層及び彫刻画像層を備えた証明用層状媒体において、前記カラー写真画像層は、前記支持体層の一面側に備えられてカラー写真画像を含み、前記彫刻画像層は、前記支持体層よりも低い透明度又は不透明で前記支持体層の他面側に備えられて前記カラー写真画像の反転画像に相当する彫刻画像を含み、前記彫刻画像層側から透かして見ることにより前記カラー写真画像及び前記彫刻画像の確認を可能としたことで実現した。
【００２４】
本発明の証明用層状媒体は、透明又は半透明の支持体層にカラー写真画像層及び彫刻画像層を備えた証明用層状媒体であって、前記カラー写真画像層は、前記支持体層の一面側に備えられカラー写真画像に倣った彫刻による残存画像を含み、前記彫刻画像層は、前記支持体層よりも低い透明度又は不透明で前記支持体層と前記残存画像との間に前記彫刻により備えられた彫刻画像を含み、前記支持体層の一面側又は他面側から透かして見ることにより前記残存画像及び前記彫刻画像の確認を可能としても良い。
【００２５】
本発明の証明用層状媒体の製造方法は、支持体層の一面側にカラー写真画像を備えたカラー写真画像層を形成し、前記支持体層の他面側に備えた彫刻層に前記カラー写真画像に倣って彫刻画像を反転彫刻した彫刻画像層を形成したことで実現した。
【００２６】
本発明の証明用層状媒体の製造方法は、支持体層の一面側に備えた彫刻層の表面にカラー写真画像を備えたカラー写真画像層を形成し、前記カラー写真画像の上からカラー写真画像に倣って前記彫刻層に彫刻画像を彫刻して彫刻画像層を形成し、前記支持体層の一面側に前記彫刻後に残存する前記カラー写真画像の残存画像を形成して実現した。
【００２７】
本発明のカード基材は、透明又は半透明の支持体層にカラー写真画像層及び彫刻画像層を備えた証明用層状媒体の製造に用いるカード基材であって、前記支持体層は、ベースシート及びベースシートを挟むオーバーシートの積層構造であり、前記ベースシート及びオーバーシートの間には、印刷画像層と印刷画像層の無い領域とが配され、前記カラー写真画像層は、前記支持体層の一面側の前記領域に対向する位置で前記オーバーシートの表面に備えられ、前記彫刻画像層を形成するために未彫刻の彫刻層が、前記支持体層の他面側の前記領域に対向する位置で前記オーバーシートの表面に備えられたことで実現した。
【００２８】
本発明のカード基材は、透明又は半透明の支持体層にカラー写真画像層及び彫刻画像層を備えた証明用層状媒体の製造に用いるカード基材であって、前記支持体層は、ベースシート及びベースシートを挟むオーバーシートの積層構造であり、前記ベースシート及びオーバーシートの間には、印刷画像層と印刷画像層の無い領域とが配され、前記彫刻画像層を形成するために未彫刻の彫刻層が、前記領域に対向する位置で前記オーバーシートの表面に備えられ、前記カラー写真画像層は、前記領域に対向する位置で前記未彫刻の彫刻層の表面に備えられても良い。
【００２９】
本発明のカード基材は、透明又は半透明の支持体層にカラー写真画像層及び彫刻画像層を備えた証明用層状媒体の製造に用いるカード基材であって、前記支持体層は、ベースシート及びベースシートを挟むオーバーシートの積層構造であり、前記カラー写真画像層は、前記支持体層の一面側で他の画像層と一体的に前記オーバーシートの表面に備えられ、前記彫刻画像層を形成するために未彫刻の彫刻層が、前記支持体層の他面側で前記オーバーシートの表面に備えられたことで実現した。
【００３０】
本発明のカード基材は、透明又は半透明の支持体層にカラー写真画像層及び彫刻画像層を備えた証明用層状媒体の製造に用いるカード基材であって、前記支持体層は、ベースシート及びベースシートを挟むオーバーシートの積層構造であり、前記彫刻画像層を形成するために未彫刻の彫刻層が、前記オーバーシートの表面に備えられ、前記カラー写真画像層は、他の画像層と一体的に前記未彫刻の彫刻層の表面に備えられても良い。
【００３１】
本発明の合成紙は、透明又は半透明の支持体層にカラー写真画像層及び彫刻画像層を備えた証明用層状媒体の製造に用いる合成紙であって、前記支持体層は、ベースシートとベースシートを挟む未彫刻の彫刻層及びマットコート層の積層構造であり、前記カラー写真画像層は、前記マットコート層の表面に備えられたことで実現した。
【００３２】
本発明の合成紙は、透明又は半透明の支持体層にカラー写真画像層及び彫刻画像層を備えた証明用層状媒体の製造に用いる合成紙であって、前記支持体層は、ベースシートとベースシートを挟む未彫刻の彫刻層及びマットコート層の積層構造であり、前記カラー写真画像層は、前記未彫刻の彫刻層の表面に備えられても良い。
【実施例１】
【００３３】
図１は、証明用カードの断面図である。図２は、証明用カードの平面図である。図３は、彫刻画像の要部拡大断面図である。
【００３４】
図１〜図３のように、証明用カード１は、本実施例の証明用層状媒体であり、支持体層３にカラー写真画像層５及び彫刻画像層７を備えている。なお、証明用層状媒体は、カードに限らず、卒業証書等、パスポートなどのシート状の媒体に適用することもできる。
【００３５】
支持体層３は、ベースシート３ａ、３ｂにオーバーシート３ｃ、３ｄが重ねられ、４層に接合されている。ベースシート３ａ、３ｂ及びオーバーシート３ｃ、３ｄは、ポリ塩化ビニル（ＰＶＣ）等で透明に略均一の厚みに形成され、平面から見て略矩形のカード形状に形成されている。
【００３６】
なお、支持体層３は、４層である必要は無く、１層で構成し、カラー写真画像層５及び彫刻画像層７を形成して証明用層状媒体にすることもできる。
【００３７】
支持体層３は、強度とある程度の透明性の得られるものであればよく、その他、一般的に用いられる透明合成樹脂、例えば、ポリプロピレン、ポリスチレン、ポリエチレンテレフタレート等で形成することもできる。
【００３８】
ベースシート３ａ、３ｂ及びオーバーシート３ｃ、３ｄの透明度は、彫刻画像層７の彫刻画像を認識できればよく、彫刻画像層７に対して相対的に設定する。ベースシート３ａ、３ｂ及びオーバーシート３ｃ、３ｄは、半透明に形成することもできる。
【００３９】
つまり彫刻画像層７は、支持体層３よりも低い透明度又は不透明に形成され、例えば、ベースシート３ａ、３ｂ及びオーバーシート３ｃ、３ｄの不透明度を７０％以下等、彫刻画像層７の不透明度を４０％以上等に設定する。
【００４０】
ベースシート３ａ、３ｂの厚みは、本実施例において０．２ｍｍに設定されている。オーバーシート３ｃ、３ｄの厚みは、本実施例において０．１５ｍｍに設定されている。但し、ベースシート３ａ、３ｂ及びオーバーシート３ｃ、３ｄの厚みは、要求性能に応じて種々変更することができる。ベースシート３ａ、３ｂ間での相対的な厚み、オーバーシート３ｃ、３ｄ間での相対的な厚みも、相互間で異なるように変更することができる。
【００４１】
ベースシート３ａ、３ｂ及びオーバーシート３ｃ、３ｄの間には、印刷画像層６ａ、６ｂが配されている。印刷画像層６ａは、証明用カード１の表面の印刷デザインをなすものであり、文字情報９等を形成している。文字情報９は、印刷により種々の地色上に文字等を表示している。印刷画像層６ｂは、証明用カード１の裏面の印刷デザインをなすものである。
【００４２】
ベースシート３ａ、３ｂ及びオーバーシート３ｃ、３ｄの間の領域１１ａ、１１ｂは、例えば矩形状に抜かれており、印刷画像層の印刷インクは存在しない。領域１１ａ、１１ｂの矩形は、カラー写真画像１３の矩形に対応して同一の大きさに設定されている。領域１１ａ、１１ｂの形状、大きさは、彫刻画像層７側から透かして見ることにより彫刻画像の確認を可能とするものであれば良い。
【００４３】
カラー写真画像層５は、支持体層３の一面側であるオーバーシート３ｃの表面にプリントにより形成されて備えられ、０．０１ｍｍの厚みを有する透明な再転写フィルム１５にカラー写真画像１３を含んで構成されている。カラー写真画像層５は、カラー写真画像１３のみで構成することも可能である。
【００４４】
彫刻画像層７は、前記のように支持体層３よりも低い透明度又は不透明に形成されている。この彫刻画像層７は、カラー写真画像層５に対応して形成され、例えば同じ大きさの矩形状に形成されている。彫刻画像層７は、支持体層３の他面側に備えられている。彫刻画像層７は、カラー写真画像１３に倣って反転彫刻した彫刻画像１９を含む。彫刻画像１９は、カラー写真画像１３の反転画像に相当する。従って、カラー写真画像１３を視認した後、証明用カード１を反転させて彫刻画像１９を視認したとき、カラー写真画像１３と彫刻画像１９とは、一致することになる。
【００４５】
図３は、証明用カード１の裏面のオーバーシート３ｄを上にして図示したものである。図３のように、彫刻１９ａ、１９ｂ、１９ｃは、カラー写真画像１３の濃淡に応じて深さが変化し、背景部などの最深部の深さが０．０５ｍｍ等となっている。
【００４６】
彫刻画像層７側から透かして見ることによりカラー写真画像１３に合致させることで彫刻画像１９の確認を可能とする。この場合、カラー写真画像１３の各部の色彩が同一形状大きさの彫刻画像の各部に対応するように浮き上がり、彫刻画像１９が浮かし彫刻のようにカラーの彫刻画像として視認することができる。このため、支持体層３の他面側であるオーバーシート３ｄの表面側から彫刻画像１９を見るとカラー写真画像１３が重なって彫刻画像を擬似のカラー彫刻画像にすることができる。
【００４７】
なお、支持体層３の透明度を落とし、彫刻画像１９をカラー写真画像１３に合致させることなく彫刻画像層７側でのみ、その確認をするとき、彫刻画像は、カラー写真画像１３よりも小さく或いは大きく形成することもできる。
【００４８】
彫刻画像層７は、例えば、樹脂（バインダー）と充填材（フィラー）とから成るシルクスクリーンインクを、白色インク（充填材は、主として酸化チタン等）やマットインク（充填材は、主として合成シリカ、炭酸カルシウム、硫酸バリウムやタルク・クレー等のカオリン類）の混合等により調整して生成されている。こうして生成したシルクスクリーンインクを、支持体層３上にシルクスクリーン印刷することで構成することができる。
【００４９】
彫刻画像層７の表面は、支持体層３の表面に対してプレスされ、証明用カード１のオーバーシート３ｄ側の面が全体的に平滑に形成されている。
【００５０】
彫刻画像層７の厚みは、本実施例において０．０１ｍｍに設定されている。但し、彫刻画像層７の厚みは、証明用層状媒体の種類、厚み等の要求に応じて０．００３〜０．０５０ｍｍに設定することができる。
【００５１】
彫刻画像層７に用いられる樹脂（バインダー）の種類は、支持体層３の使用樹脂に応じて変更することが好ましい。相互に異なる種類の樹脂間では、その接着性への影響が異なるからである。例えば、支持体層３がポリ塩化ビニルの場合、彫刻画像層７に用いられる樹脂（バインダー）の種類は、ポリウレタンや塩化ビニル、酢酸ビニル共重合体等が適する。その他、支持体層３がポリエステルフィルムである場合には、彫刻画像層７に用いられる樹脂（バインダー）の種類は、ポリエステルやポリウレタンが適する。彫刻画像層７の硬度については、硬化剤の種類や添加量によって調整する。
【００５２】
従って、プリントによるカラー写真画像１３と擬似のカラー彫刻画像である彫刻画像１９との比較により、真偽の判別ができる。また、彫刻画像層７側から透かして見ることによりカラー写真画像１３を透過した光が彫刻画像１９を透過するため、カラー写真画像１３と彫刻画像１９との重なり及び彫刻画像１９の確認をすることで真偽の判別ができる。かかる判別の結果、高度なセキュリティ上の本人確認ができる。
【００５３】
図４は、証明用カードの製造方法に係り、（Ａ）は、カラー写真画像のプリント前の基材の断面図、（Ｂ）は、カラー写真画像及び彫刻画像を備えた証明用カードの断面図である。
【００５４】
証明用カード１の製造方法は、支持体層３の一面側にカラー写真画像を備えたカラー写真画像層１３を形成し、支持体層３の他面側に備えた彫刻層７Ａにカラー写真画像１３に倣って彫刻画像１９を反転彫刻した彫刻画像層７を形成するものである。
【００５５】
図４（Ａ）のように、基材２１は、ベースシート３ａ、３ｂ及びベースシート３ａ、３ｂを挟むオーバーシート３ｃ、３ｄの積層構造の支持体層３を含んでいる。ベースシート３ａ、３ｂ及びオーバーシート３ｃ、３ｄ間には、印刷画像層６ａ、６ｂと印刷画像層６ａ、６ｂの無い領域１１ａ、１１ｂとが配されている。
【００５６】
支持体層３の他面側のオーバーシート３ｄの表面には、領域１１ａ、１１ｂに対向する位置で未彫刻の彫刻層７Ａが備えられている。
【００５７】
図４（Ａ）の基材２１の製造後に、カラープリンターを用いて図４（Ｂ）のようにプリントする。このプリントで支持体層３の一面側であるオーバーシート３ｃの表面に再転写フィルム１５を転写し、カラー写真画像１３を含んでカラー写真画像層５を形成する。
【００５８】
こうしてカラー写真画像層５は、領域１１ａ、１１ｂに対向する位置でオーバーシート３ｃの表面に備えられ、図４（Ｂ）のカード基材２１Ａが形成される。
【００５９】
図４（Ｂ）のカード基材２１Ａは、図１に示す支持体層３にカラー写真画像層５及び彫刻画像層７を備えた証明用カード１の製造に用いられる。
【００６０】
つまり、支持体層３の他面側から彫刻機により彫刻層７Ａに対しカラー写真画像１３に倣って反転彫刻が行なわれ、図１、図３のように彫刻画像１９が形成される。この彫刻画像１９は、カラー写真画像１３の反転画像に相当し、例えば一致又は相似的に対応する。
【００６１】
彫刻画像１９がカラー写真画像１３の反転画像に一致するとは、前記のように、カラー写真画像１３を視認した後、証明用カード１を反転させて彫刻画像１９を視認したとき、カラー写真画像１３と彫刻画像１９とが一致することをいう。
【００６２】
彫刻画像１９がカラー写真画像１３の反転画像に相似的に対応するとは、カラー写真画像１３を視認した後、証明用カード１を反転させて彫刻画像１９を視認したとき、彫刻画像１９がカラー写真画像１３に対して縮小又は拡大されて相似することをいう。
【００６３】
図５は、証明用カードの製造装置を示すブロック図である。図６は、彫刻針の一例であり、（Ａ）は、概略要部側面図、（Ｂ）は、概略要部正面図である。
【００６４】
証明用カードの製造装置２３は、カラープリンター２５と彫刻機２７とを備えている。カラープリンター２５は、カラー写真画像１３を支持体層３にプリントするものである。彫刻機２７は、支持体層３の他面側からカラー写真画像１３に倣って彫刻層７Ａに彫刻画像１９を反転彫刻するものである。
【００６５】
さらに述べると、カラープリンター２５は、撮像部２９と、画像信号格納部３１と、カラー印刷部３３とを備えている。
【００６６】
撮像部２９は、カラー顔写真３５を撮像してその走査線に沿ってイエロウ、マゼンタ、シアン及び黒の色成分に分解した画素毎のカラー写真画像信号を出力する。画像信号格納部３１は、カラー顔写真１画面分のカラー写真画像信号を格納する。カラー印刷部３３は、基材２１（図４）にカラー写真画像１３を含む未彫刻の証明用カードを形成する。
【００６７】
つまり、撮像部２９にてカラー顔写真３５を撮像するとその走査線に沿ってイエロウ、マゼンタ、シアン及び黒の色成分に分解した画素毎のカラー写真画像信号を出力し、１画面分のカラー写真画像信号が画像信号格納部３１に格納される。
【００６８】
給排口３７に図４（Ａ）の基材２１を挿入すると、画像信号格納部３１から各画素の色成分信号が読み出され、転写フィルムにカラー写真画像１３がプリントされる。このカラー写真画像１３がプリントされた再転写フィルム１５が基材２１の一面側に転写され、図４（Ｂ）のカラー写真画像１３を含む未彫刻のカード基材２１Ａが給排口３７から取り出される。
【００６９】
彫刻機２７は、用紙セット台３９と、彫刻針４１と、走査駆動部４３と、彫刻データ入力部４５と、画像データ格納部４７と、彫刻針駆動部４９とを備えている。
【００７０】
用紙セット台３９は、未彫刻のカード基材２１Ａを例えば吸着により位置決め、Ｘ方向に往復駆動しながら彫刻針４１による彫刻を行なわせる。
【００７１】
彫刻針４１は、彫刻針駆動部４３の彫刻ヘッドに取り付けられており、コイルへの通電の切り換えを彫刻信号に基づいて行わせることで、画像データを電気信号に変換した信号に基づいて彫刻針４１にＺ方向に振動が付加される。同時に彫刻ヘッドのＺ方向移動及び用紙セット台３９のＸ方向移動により彫刻針４１の彫刻が１ラインの走査を完了すると彫刻ヘッドがＹ方向に１ライン分移動する。かかる彫刻針４１の動作及び彫刻ヘッドの動作の連続によりカード基材２１Ａの表面に微細彫刻を行なう。
【００７２】
走査駆動部４３は、彫刻針４１に対して用紙セット台３９をＸ方向へ移動させつつその１ラインの走査を行なわせる。
【００７３】
彫刻データ入力部４５は、氏名、生年月日等の本人情報を入力する。
【００７４】
画像データ格納部４７は、画像信号格納部３１から読み出された画像信号と彫刻データ入力部４５により入力された本人情報とから画像信号を表示位置に対応するアドレスに格納する。
【００７５】
彫刻針駆動部４９は、画像データ格納部４７から読出して発生される彫刻信号に応答して彫刻針４１をカード基材２１Ａに対してＺ方向へ振動させ且つ移動させ、彫刻ヘッドをＹ方向へ移動させる。
【００７６】
従って、用紙セット台３９に位置決められたカード基材２１Ａの彫刻層7Ａに対して彫刻針４１により彫刻が行なわれ、カラー写真画像１３に倣った彫刻画像１９が反転彫刻される。
【００７７】
なお、彫刻針４１と用紙セット台３９との動作は相対的な関係にあり、用紙セット台３９を固定し、彫刻針４１を振動させつつＸ，Ｙ，Ｚ方向へ移動させるなどして彫刻することもできる。
【００７８】
図６のように、彫刻針４１は、金属製の支持棒５１及びその先端に装着されたダイアモンドチップ５３（彫刻針）からなる。彫刻針の材料としてダイアモンド製は一番硬度が硬く、性能が良い。又、ダイアモンド以外の材料として超硬鋼製などを用いることも可である。
【００７９】
ダイアモンドチップ５３は、その前面が被彫刻板であるカード基材２１Ａに対して、概略垂直に起立しており、すくい角を有している。
【００８０】
彫刻針４１の先端部は、左側切り刃５５Ｌと右側切り刃５５Ｒの開き角度の合計が１２０度以上の鈍角であり、典型的な例として、左側切り刃５５Ｌの開き角度δＲが６５度、右側切り刃５５Ｒの開き角度δＬが６４度４０分と開き角度に一度以内の差があり、左右が非対称として正確な切削が行えるようにしている。
【００８１】
かかる彫刻針４１を用い前記彫刻機２７の動作を行なわせることで彫刻層７Ａに彫刻画像１９を反転彫刻して彫刻画像層７を形成することができる。
【００８２】
既彫刻の証明用カード１は、支持体層３の他面側から彫刻画像１９を見るとカラー写真画像１３が重なって彫刻画像１９を擬似のカラー彫刻画像にすることができる。従って、プリントによるカラー写真画像１３と擬似のカラー彫刻画像との直接的な重なり状態を見ることにより、真偽の判別ができる。
【００８３】
また、彫刻画像層７側から透かして見ることによりカラー写真画像１３を透過した光が彫刻画像を透過するため、カラー写真画像１３と彫刻画像１９との重なりを確認することで真偽の判別ができる。
【００８４】
かかる判別の結果、高度なセキュリティ上の確認ができる。
【００８５】
しかも、カラー写真画像１３と彫刻画像１９とが同一面で横に並ぶことが無く、スペース的に有利であり、残余のスペースに多くの情報を付加することが可能となる。
【００８６】
擬似のカラー彫刻画像は、彫刻層７に色成分（Ｃ，Ｍ，Ｙ，Ｗ又はＢ）を負荷する必要が無く、基材２１の構造も簡単である。
【００８７】
カラー写真画像１３及び彫刻画像１９は、従来と同様に形成することができ、製造装置２３も複雑化を抑制することができ、彫刻時間も長くなることは無く、全体として安価に製造することができる。
【実施例２】
【００８８】
図７、図８は、本発明の実施例２に係る。図７は、証明用カードの断面図である。図８は、彫刻画像の要部拡大断面図である。なお、基本的な構成は、実施例１と同様であり、同一又は対応する構成部分には、同符号を付し、重複した説明は省略する。
【００８９】
実施例１では、カラー写真画像層５と彫刻層７とを支持体層３の両側面に分けて形成したが、本実施例２は、カラー写真画像層５及び彫刻層７を支持体層３の一面側に重ねて形成した。
【００９０】
本実施例２の証明用カード１では、支持体層３の例えば裏面に彫刻画像１９を含む彫刻画像層７を形成し、彫刻画像層７に重ねて残存画像５７を形成した。
【００９１】
つまり、カラー写真画像層５は、支持体層３の一面側にプリントにより形成されたカラー写真画像に倣って重ねて行なわれた彫刻によって残存する残存画像５７を含む。彫刻画像層７は、支持体層３よりも低い透明度又は不透明で支持体層３のオーバーシート３ｄとカラー写真画像層５との間に前記彫刻により備えられた彫刻画像１９を含む。
【００９２】
証明用カードの製造装置は、例えば図５のものが用いられ、彫刻針は、例えば図６のものが用いられる。
【００９３】
証明用カードの製造方法は、支持体層３の一面側に備えた彫刻層７Ａの表面にカラー写真画像１３を備えたカラー写真画像層５を形成し、カラー写真画像１３の上からカラー写真画像１３に倣って彫刻層７Ａに彫刻画像１９を彫刻して彫刻画像層７を形成し、支持体層３の一面側に彫刻後に残存するカラー写真画像１３の残存画像５７を形成するものである。
【００９４】
先ず、図４（Ａ）の基材２１に対し、支持体層３の一面側であるオーバーシート３ｄの表面にカラープリンター２５により再転写フィルム１５を転写形成する。この転写形成によりカラー写真画像１３が彫刻層７Ａの表面に対応してプリントされる。
【００９５】
カラー写真画像１３がプリントされたカード基材は、支持体層３にカラー写真画像層５及び彫刻画像層７を備えた証明用カード１の製造に用いられる。
【００９６】
このカード基材は、彫刻画像層１９を形成するために未彫刻の彫刻層７Ａが、領域１１ａ、１１ｂに対向する位置でオーバーシート３ｄの表面に備えられ、カラー写真画像層５は、領域１１ａ、１１ｂに対向する位置で未彫刻の彫刻層の表面に備えられる。
【００９７】
なお、図７では、彫刻画像層１９が形成された証明用カード１を示すが、彫刻画像層７に相当する断面部分が、彫刻画像層１９が形成される前に未彫刻の彫刻層となっている。
【００９８】
次に、カラー写真画像１３の上からカラー写真画像１３に倣って彫刻層に彫刻機２７により彫刻画像１９を彫刻する。
【００９９】
図８は、証明用カード１の裏面のオーバーシート３ｄ側を上にして図示したものである。図８のように、実施例１と同様に彫刻１９ａ、１９ｂ、１９ｃは、カラー写真画像１３の濃淡に応じて深さが変化する。一方、本実施例では、彫刻画像層７の上にカラー写真画像層５が備えられる層構造であるから、背景部などの最深部の深さが再転写フィルム１５の層厚０．０１ｍｍ分深く、０．０６ｍｍ等となっている。
【０１００】
この彫刻により、支持体層３の一面側に残存する残存画像５７を含むカラー写真画像層５が形成される。
【０１０１】
残存画像５７とは、カラー写真画像１３そのものではなく、図８のように、カラー写真画像１３の表面から行なう彫刻１９ａ、１９ｂ、１９ｃによりカラー写真画像１３に残るカラー画像部１３ａで形成されるものである。
【０１０２】
残存画像５７は、カラー写真画像１３に対し、彫刻１９ａ、１９ｂ、１９ｃが存在することによる色抜けがあり、鮮明度は落ちるが、彫刻画像５７に重ねて形成されるカラー写真画像であるといえる。
【０１０３】
従って、支持体層３の一面側を見ることによりカラーの残存画像５７で本人確認をすることができる。
【０１０４】
また、支持体層３の一面側又は他面側から透かして見ることにより彫刻画像１９の確認を可能とし、残存画像５７と彫刻画像１９との重なりの一致の有無を確認することで真偽の判別ができる。
【０１０５】
かかる判別の結果、高度なセキュリティ上の確認ができるなど、実施例1と同様な作用効果を奏することができる。
【０１０６】
また、本実施例では、カラーの残存画像５７により本人確認をすることができる。
【実施例３】
【０１０７】
図９〜図１１は、本発明の実施例３に係る。図９は、カード基材の断面図である。図１０は、オーバーシートの表面にカラー写真画像層を備えたカード基材の断面図である。図１１は、彫刻層の表面にカラー写真画像層を備えたカード基材の断面図である。なお、基本的な構成は、実施例１と同様であり、同一又は対応する構成部分には、同符号を付し、重複した説明は省略する。
【０１０８】
本実施例３の証明用カードは、実施例１、２の証明用カード１の層構造を若干変更したものである。
【０１０９】
図９のように、本実施例３の証明用カードに用いる基材２１の層構造は、支持体層３が、透明又は半透明のベースシート３ａ、３ｂ及びオーバーシート３ｃ、３ｄからなり、オーバーシート３ｄの表面に彫刻層７が全体的に形成されている。
【０１１０】
実施例１では、図４のようにベースシート３ａ、３ｂ及びオーバーシート３ｃ、３ｄの間に印刷画像層６ａ、６ｂが配されているが、本実施例では省略されている。従って、基材２１は、オーバーシート３ｃ、３ｄの何れから見ても白色に見える。
【０１１１】
本実施例では、この図９の基材２１を用いて図１０、図１１のカード基材２１Ａを得る。図１０のカード基材２１Ａは、実施例１に対応し、図１１のカード基材２１Ａは、実施例２に対応する。
【０１１２】
図１０のカード基材２１Ａでは、支持体層３の一面側のオーバーシート３ｃの表面に再転写フィルム１５を転写している。この転写により、支持体層３の一面側にカラー写真画像１３を含んでカラー写真画像層５を形成する。カラー写真画像層５には、カラー写真画像１３以外の他のデザインの画像層５ａもカラー写真画像１３と一体的に備えられている。
【０１１３】
カード基材２１Ａでは、彫刻画像層を形成するために未彫刻の彫刻層７Ａが、支持体層３の他面側でオーバーシート３ｄの表面に備えられている。
【０１１４】
このカード基材２１Ａが、支持体層３にカラー写真画像層５及び彫刻画像層１９を備えた証明用カードの製造に用いられる。
【０１１５】
つまり、カード基材２１Ａに対し支持体層３の他面側から彫刻機により彫刻層７Ａに対しカラー写真画像１３に倣って反転彫刻が行なわれ、彫刻層７Ａに彫刻画像が形成され、彫刻画像層が備えられる。
【０１１６】
従って、本実施例でも実施例１とほぼ同様の作用効果を得ることができる。また、カラー写真画像１３以外のデザイン５ａも証明用カード１に容易に形成することができる。
【０１１７】
図１１のカード基材２１Ａでは、彫刻画像層を形成するために未彫刻の彫刻層７Ａが、オーバーシート３ｄの表面に備えられている。
【０１１８】
オーバーシート３ｄの表面の彫刻層７Ａに対し再転写フィルム１５が転写され、カラー写真画像１３を含んでカラー写真画像層５が形成される。カラー写真画像層５には、カラー写真画像１３以外の他のデザインの画像層５ａもカラー写真画像１３と一体的に備えられている。これにより、カラー写真画像層５は、他の画像層５ａと一体的に未彫刻の彫刻層７Ａの表面に備えられる。
【０１１９】
カード基材２１Ａに対し、カラー写真画像１３の上からカラー写真画像１３に倣って彫刻層７Ａに彫刻機により彫刻画像を彫刻する。この彫刻により、支持体層３の一面側であるオーバーシート３ｄの表面に残存する残存画像を含むカラー写真画像層が形成される。
【０１２０】
従って、本実施例でも実施例２とほぼ同様の作用効果を得ることができる。また、カラー写真画像１３以外のデザイン５ａも証明用カード１に容易に形成することができる。
【実施例４】
【０１２１】
図１２〜図１４は、本発明の実施例４に係る。図１２は、合成紙基材の断面図である。図１３は、卒業証書の断面図である。図１４は、卒業証書の断面図である。なお、基本的な構成は、実施例２、３と同様であり、同一又は対応する構成部分には、同符号を付し、重複した説明は省略する。
【０１２２】
本実施例は、実施例１、２の証明用カード１の層構造を、証明用層状媒体である卒業証書の製造に用いる合成紙の層構造に変更したものである。
【０１２３】
図１２のように、本実施例の基材１２１の層構造は、支持体層３が、０．１〜０．１８８ｍｍの透明又は半透明のベースシート３ａとベースシート３ａを挟む未彫刻の彫刻層７Ａ及びマットコート層１２３の積層構造となっている。ベースシート３ａは、単一層で形成され、彫刻層７とマットコート層１２３とは、０．０１ｍｍの層厚に形成されたものである。マットコート層１２３は、無光沢（マット）の塗料のコーティング等で形成されている。
【０１２４】
本実施例では、この図１２の基材１２１を用いて図１３、図１４の合成紙１２１Ａを形成し、この合成紙１２１Ａを卒業証書の製造に用いる。図１３の合成紙１２１Ａは、実施例１に対応し、図１４の合成紙１２１Ａは、実施例２に対応する。
【０１２５】
図１３の合成紙１２１Ａでは、支持体層３の表面のマットコート層１２３に再転写フィルム１５を転写し、カラー写真画像１３を含んでカラー写真画像層５を形成する。再転写フィルム１５は、マットコート層１２３の表面に部分的に備えられている。拡大した再転写フィルム１５を転写することで、カラー写真画像１３以外のデザインの画像層もカラー写真画像１３と一体的に備えることができる。この場合、再転写フィルム１５は、マットコート層１２３の表面の全域に設けることもできる。
【０１２６】
かかる合成紙１２１Ａを卒業証書の製造に用いる。
【０１２７】
図１３の合成紙１２１Ａでは、支持体層３の他面側から彫刻機により彫刻層７Ａに対しカラー写真画像１３に倣って反転彫刻が行なわれ、彫刻画像が形成されている。
【０１２８】
従って、カラー写真画像１３及び彫刻画像の確認において、実施例１とほぼ同様の作用効果を得る卒業証書とすることができる。
【０１２９】
図１４の合成紙１２１Ａでは、オーバーシート３ｄの表面の彫刻層７Ａに対し再転写フィルム１５を転写し、カラー写真画像１３を含んでカラー写真画像層５を彫刻層７Ａの表面に形成して備える。カラー写真画像層５は、彫刻層７Ａの表面に部分的に備えられている。拡大した再転写フィルム１５を転写することで、カラー写真画像１３以外のデザインの画像層もカラー写真画像１３と一体的に備えることができる。この場合、再転写フィルム１５は、彫刻層７全域に設けることもできる。
【０１３０】
カラー写真画像１３の上からカラー写真画像１３に倣って彫刻層７Ａに彫刻機により彫刻画像を彫刻する。この彫刻により、支持体層３の一面側に残存する残存画像を含むカラー写真画像層５が形成される。
【０１３１】
従って、カラー写真画像１３及び彫刻画像の確認において、実施例２とほぼ同様の作用効果を得る卒業証書とすることができる。
【符号の説明】
【０１３２】
１  証明用カード（証明用層状媒体）
３  支持体層
３ａ、３ｂ  ベースシート
３ｃ、３ｄ  オーバーシート
５  カラー写真画像層
７  彫刻画像層
７Ａ  彫刻層
１９  彫刻画像
２１Ａ  カード基材
２５  カラープリンター
２７  彫刻機
４１  彫刻針
５７  残存画像
１２１Ａ  合成紙
１２３  マットコート層
【図１】
2018030351.tif 000003
【図２】
2018030351.tif 000004
【図３】
2018030351.tif 000005
【図４】
2018030351.tif 000006
【図５】
2018030351.tif 000007
【図６】
2018030351.tif 000008
【図７】
2018030351.tif 000009
【図８】
2018030351.tif 000010
【図９】
2018030351.tif 000011
【図１０】
2018030351.tif 000012
【図１１】
2018030351.tif 000013
【図１２】
2018030351.tif 000014
【図１３】
2018030351.tif 000015
【図１４】
2018030351.tif 000016